(57)【特許請求の範囲】
【請求項１】
第１モードを含む複数のモードの中からユーザ操作に応じて１つのモードを選択するモード選択部と、
デジタル音声信号および／またはアナログ音声信号が入力される複数の音声入力端子と、
第１ルームに配置される第１スピーカーに対して音声信号を出力するための第１出力端子と、
第２ルームに配置される第２スピーカーに対して音声信号を出力するための第２出力端子と、
前記音声入力端子に入力される前記アナログ音声信号をデジタル音声信号に変換するＡＤ変換器と、
複数の前記音声入力端子に入力される前記デジタル音声信号または前記ＡＤ変換器から出力される前記デジタル音声信号の中から少なくとも左音声信号および右音声信号を含む一組の音声信号を選択し、音声処理部に供給する第１選択部と、
複数の前記音声入力端子に入力される音声信号の中から少なくとも左音声信号および右音声信号を含む一組の前記アナログ音声信号を選択し、第３選択部に供給する第２選択部と、
前記第１選択部から供給された第１左音声信号及び第１右音声信号から、少なくとも前記第１左音声信号、前記第１右音声信号、前記第１左音声信号と同じ信号である第２左音声信号、及び、前記第１右音声信号と同じ信号である第２右音声信号を生成し、前記第１左音声信号、前記第１右音声信号、前記第２左音声信号、及び、前記第２右音声信号をアナログ音声信号に変換するＤＡ変換器を介して前記第１出力端子に出力し、かつ、ＤＡ変換された前記第２左音声信号及び前記第２右音声信号の組またはＤＡ変換された前記第１左音声信号及び前記第１右音声信号の組のいずれか一組を前記第３選択部に供給する前記音声処理部と、
前記第２選択部からの音声信号又は前記音声処理部からの音声信号の一方を選択し、前記第２出力端子に出力する前記第３選択部と、
前記第１モードが選択されている場合、前記第３選択部に前記音声処理部からの音声信号を選択させ、前記第１モード以外のモードが選択されている場合、前記第３選択部に前記第２選択部からの音声信号を選択させる制御部とを備え、
前記第１モードが選択され、かつ、前記第１選択部および前記第２選択部および前記第３選択部を制御して前記第２出力端子に出力する前記音声信号を選択する第２ルーム用セレクタが、前記第１ルームに出力するのと同じ前記音声信号を選択することを示すSOURCEを選択されているときに、ユーザ操作によって前記第２ルーム用セレクタがSOURCE以外に変更されると、前記第３選択部が前記第２選択部からの音声信号を選択し、ユーザ操作によって前記第２ルーム用セレクタが再度SOURCEに変更されると、前記第３選択部が前記音声処理部からの音声信号を再度選択し、
前記第１モードの選択が解除されるとき、前記第２ルーム用セレクタがSOURCEであれば前記第２出力端子から音声信号が出力されない状態に設定し、前記第２ルーム用セレクタがSOURCE以外であれば前記第２出力端子から音声信号が出力される状態を維持する、音声処理装置。
【請求項２】
第１モードを含む複数のモードの中からユーザ操作に応じて１つのモードを選択するモード選択部と、
デジタル音声信号および／またはアナログ音声信号が入力される複数の音声入力端子と、
第１ルームに配置される第１スピーカーに対して音声信号を出力するための第１出力端子と、
第２ルームに配置される第２スピーカーに対して音声信号を出力するための第２出力端子と、
前記音声入力端子に入力される前記アナログ音声信号をデジタル音声信号に変換するＡＤ変換器と、
供給される前記デジタル音声信号に対して音声処理を実行する音声処理部と、
複数の前記音声入力端子に入力される前記アナログ音声信号の中から少なくとも左音声信号および右音声信号を含む一組の音声信号を選択する第１選択部と、
前記第１選択部から供給される第１左音声信号及び第１右音声信号から、少なくとも前記第１左音声信号、前記第１右音声信号、前記第１左音声信号と同じ信号である第２左音声信号、及び、前記第１右音声信号と同じ信号である第２右音声信号を生成し前記第１出力端子に出力するマルチチャンネル音声生成部と、
複数の前記音声入力端子に入力される音声信号の中から少なくとも左音声信号および右音声信号を含む一組の前記アナログ音声信号を選択し前記第２出力端子に出力する第２選択部と、
前記音声処理部からの前記デジタル音声信号をアナログ音声信号に変換するＤＡ変換器を介して前記第１出力端子に出力させるか、又は、前記マルチチャンネル音声生成部から出力される前記アナログ音声信号を前記第１出力端子に出力させるかを切換える第３選択部と、
前記第１モードが選択されている場合、前記第１選択部と前記第２選択部とに同じ前記アナログ音声信号を選択させ、かつ、前記第３選択部に前記マルチチャンネル音声生成部からの音声信号を前記第１出力端子に出力させ、前記第１モード以外のモードが選択されている場合、前記第３選択部に前記音声処理部からの音声信号を前記第１出力端子に出力させる制御部とを備え、
前記第１モードが選択され、かつ、前記第１選択部および前記第２選択部および前記第３選択部を制御して前記第２出力端子に出力する前記音声信号を選択する第２ルーム用セレクタが、前記第１ルームに出力するのと同じ前記音声信号を選択することを示すSOURCEを選択されているかユーザ操作によって前記第２ルーム用セレクタがSOURCE以外に変更されるかにかかわらず、前記第３選択部が前記マルチチャンネル音声生成部からの音声信号を選択し、
前記第１モードの選択が解除されるとき、前記第２ルーム用セレクタがSOURCEであれば前記第２出力端子から音声信号が出力されない状態に設定し、前記第２ルーム用セレクタがSOURCE以外であれば前記第２出力端子から音声信号が出力される状態を維持する、音声処理装置。
【発明の詳細な説明】
【技術分野】
【０００１】
本発明は、第１ルームに配置される第１スピーカーに対して音声信号を出力するための第１出力端子と、第２ルームに配置される第２スピーカーに対して音声信号を出力するための第２出力端子とを備える音声処理装置に関する。
【背景技術】
【０００２】
図１１は、従来のＡＶアンプ１０１の構成を示すブロック図である。ＡＶアンプ１０１は、複数のＢＤ（ブルーレイディスク）プレーヤ２０Ａ、２０Ｂが接続され、ＢＤプレーヤ２０Ａ、２０Ｂからデジタル音声信号がデジタル音声入力端子ＩＮ１、ＩＮ２に入力され、アナログ音声信号がアナログ音声入力端子ＩＮ３、ＩＮ４に入力される。ＡＶアンプ１０１、ＢＤプレーヤ２０Ａ、２０Ｂ、メインスピーカー３０はメインルームに配置され、ＺＯＮＥ２スピーカー４０はＺＯＮＥ２ルームに配置されている。
【０００３】
まず、メインスピーカー３０に出力する音声信号について説明する。デジタル音声セレクタ２は、ＢＤプレーヤ２０Ａ、２０Ｂから供給されるデジタル音声信号の中から１つのデジタル音声信号を選択し、ＤＳＰ６に供給する。アナログ音声セレクタ３は、ＢＤプレーヤ２０Ａ、２０Ｂから供給されるアナログ音声信号の中から１つのアナログ音声信号を選択し、ＡＤＣ５に供給する。ＡＤＣ５は、アナログ音声信号をデジタル音声信号に変換し、ＤＳＰ６に供給する。実際には、デジタル音声セレクタ２又はアナログ音声セレクタ３のいずれか一方からのデジタル音声信号のみがＤＳＰ６に供給される。ＤＳＰ６は、供給されたデジタル音声信号に音声処理を実行し、ＤＡＣ７に供給する。ＤＡＣ７は、供給されたデジタル音声信号をアナログ音声信号に変換し、増幅部８に供給する。増幅部８は、供給された音声信号を増幅し、メインスピーカー用のスピーカー出力端子９を介して、メインスピーカー３０に音声信号を出力する。
【０００４】
次に、ＺＯＮＥ２スピーカー４０に出力する音声信号について説明する。アナログ音声セレクタ４は、ＢＤプレーヤ２０Ａ、２０Ｂから供給されるアナログ音声信号の中から１つのアナログ音声信号を選択し、増幅部１０に供給する。増幅部１０は、供給された音声信号を増幅し、ＺＯＮＥ２スピーカー用のスピーカー出力端子１１を介して、ＺＯＮＥ２スピーカー４０に音声信号を出力する。このように、ＺＯＮＥ２スピーカー４０には、アナログ音声セレクタ４からのアナログ音声信号しか出力できず、デジタル音声入力端子ＩＮ１、ＩＮ２に入力されたデジタル音声信号を出力できないようになっている。
【０００５】
ここで、メインルームが例えばリビングルームであり、ＺＯＮＥ２ルームがリビングルームに隣接するルーム（例えば、子供部屋や、キッチン等）であり、これらのルーム間のドアを開放し、メインルーム及びＺＯＮＥ２ルームを１つの大きなルームとして使用することがある。このとき、メインルームに配置されるメインスピーカーと、ＺＯＮＥ２ルームに配置されるＺＯＮＥ２スピーカーとに、ＢＤプレーヤ２０Ａ又は２０Ｂからの同じ音声信号をＢＧＭとして出力する場合が想定される。しかし、上記の通り、メインスピーカー３０に出力される音声信号はＤＳＰ６で音声処理が実行され、ＺＯＮＥ２スピーカー４０に出力される音声信号はＤＳＰで音声処理が実行されないので、メインスピーカー３０に出力される音声信号は、ＤＰＳ６での音声処理時間分だけ、ＺＯＮＥ２スピーカー４０に出力される音声信号に対して遅延が生じる。その結果、メインスピーカー３０から出力される音声信号と、ＺＯＮＥ２スピーカー４０から出力される音声信号とが同時に出力されなくなり、リスナーに不快感を与えるという問題がある。
【０００６】
この問題を解決するために、アナログ音声セレクタ３から供給されるアナログ音声信号を、ＡＤＣ５、ＤＳＰ６及びＤＡＣ７を経由させずに、増幅部８に直接供給し、メインスピーカー３０に出力する方法がある。しかし、この場合には、ＤＳＰ６によって、前方左音声信号Ｌ及び前方右音声信号Ｒのアナログ音声信号から、サラウンド音声信号（例えば、中央音声信号Ｃ、サラウンド左音声信号ＳＬ、サラウンド右音声信号ＳＲ、低域音声信号ＳＷ）を生成することができないので、メインスピーカー３０の内、これらのチャンネルのスピーカーから音声を出力することができない。
【先行技術文献】
【特許文献】
【０００７】
【特許文献１】特開２００４―５６４１８号公報
【発明の概要】
【発明が解決しようとする課題】
【０００８】
本発明は上記従来の課題を解決するためになされたものであり、その目的は、第１ルームに配置された第１スピーカーと、第２ルームに配置された第２スピーカーとに同じ音声信号を出力する場合に、第１スピーカーに出力される音声信号が第２スピーカーに出力される音声信号に対して遅延が生じることを防止する音声処理装置を提供することである。
【課題を解決するための手段】
【０００９】
本発明の好ましい実施形態による音声処理装置は、第１モードを含む複数のモードの中からユーザ操作に応じて１つのモードを選択するモード選択部と、複数の音声入力端子と、第１ルームに配置される第１スピーカーに対して音声信号を出力するための第１出力端子と、第２ルームに配置される第２スピーカーに対して音声信号を出力するための第２出力端子と、複数の前記音声入力端子に入力される音声信号の中から１つの音声信号を選択し、音声処理部に供給する第１選択部と、複数の前記音声入力端子に入力される音声信号の中から１つの音声信号を選択し、第３選択部に供給する第２選択部と、前記第１選択部から供給された第１左音声信号及び第１右音声信号から、少なくとも前記第１左音声信号、前記第１右音声信号、前記第１左音声信号と同じ信号である第２左音声信号、及び、前記第１右音声信号と同じ信号である第２右音声信号を生成し前記第１出力端子に出力し、かつ、前記第２左音声信号及び前記第２右音声信号を前記第３選択部に供給する前記音声処理部と、前記第２選択部からの音声信号又は前記音声処理部からの音声信号の一方を選択し、前記第２出力端子に出力する前記第３選択部と、前記第１モードが選択されている場合、前記第３選択部に前記音声処理部からの音声信号を選択させ、前記第１モード以外のモードが選択されている場合、前記第３選択部に前記第２選択部からの音声信号を選択させる制御部とを備える。
【００１０】
第１モードが選択されている場合、第３選択部は音声処理部からの第２左音声信号及び第２右音声信号を選択し、第２出力端子に出力する。第１出力端子にも音声処理部からの音声信号が出力されるので、第１ルームに配置された第１スピーカーと、第２ルームに配置された第２スピーカーとに同じ音声信号を出力する場合に、第１スピーカーに出力される音声信号が第２スピーカーに出力される音声信号に対して遅延が生じることを防止することができる。
【００１１】
本発明の別の好ましい実施形態による音声処理装置は、第１モードを含む複数のモードの中からユーザ操作に応じて１つのモードを選択するモード選択部と、複数の音声入力端子と、第１ルームに配置される第１スピーカーに対して音声信号を出力するための第１出力端子と、第２ルームに配置される第２スピーカーに対して音声信号を出力するための第２出力端子と、複数の前記音声入力端子に入力される音声信号の中から１つの音声信号を選択し、音声処理部に供給する第１選択部と、複数の前記音声入力端子に入力される音声信号の中から１つの音声信号を選択し、第３選択部に供給する第２選択部と、前記第１選択部から供給された第１左音声信号及び第１右音声信号から、少なくとも前記第１左音声信号、前記第１右音声信号、前記第１左音声信号と同じ信号である第２左音声信号、及び、前記第１右音声信号と同じ信号である第２右音声信号を生成し前記第１出力端子に出力し、かつ、前記第１左音声信号及び前記第１右音声信号を前記第３選択部に供給する前記音声処理部と、前記第２選択部からの音声信号又は前記音声処理部からの音声信号の一方を選択し、前記第２出力端子に出力する前記第３選択部と、前記第１モードが選択されている場合、前記第３選択部に前記音声処理部からの音声信号を選択させ、前記第１モード以外のモードが選択されている場合、前記第３選択部に前記第２選択部からの音声信号を選択させる制御部とを備える。
【００１２】
第１モードが選択されている場合、第３選択部は音声処理部からの第１左音声信号及び第１右音声信号を選択し、第２出力端子に出力する。第１出力端子にも音声処理部からの音声信号が出力されるので、第１ルームに配置された第１スピーカーと、第２ルームに配置された第２スピーカーとに同じ音声信号を出力する場合に、第１スピーカーに出力される音声信号が第２スピーカーに出力される音声信号に対して遅延が生じることを防止することができる。
【００１３】
好ましい実施形態においては、前記第１モードが選択されるとき、第２ルーム用セレクタとして、前記第１ルームと同じであることを示すSOURCEを選択し、前記第１モードが選択されているときに、ユーザ操作によって前記第２ルーム用セレクタがSOURCE以外に変更されると、前記第３選択部が前記第２選択部からの音声信号を選択し、ユーザ操作によって前記第２ルーム用セレクタが再度SOURCEに変更されると、前記第３選択部が前記音声処理部からの音声信号を再度選択し、前記第１モードの選択が解除されるとき、前記第２ルーム用セレクタがSOURCEであれば前記第２出力端子から音声信号が出力されない状態に設定し、前記第２ルーム用セレクタがSOURCE以外であれば前記第２出力端子から音声信号が出力される状態を維持する。
【００１４】
本発明の別の好ましい実施形態による音声処理装置は、第１モードを含む複数のモードの中からユーザ操作に応じて１つのモードを選択するモード選択部と、複数の音声入力端子と、第１ルームに配置される第１スピーカーに対して音声信号を出力するための第１出力端子と、第２ルームに配置される第２スピーカーに対して音声信号を出力するための第２出力端子と、供給される音声信号に対して音声処理を実行する音声処理部と、複数の前記音声入力端子に入力される音声信号の中から１つの音声信号を選択する第１選択部と、前記第１選択部から供給される第１左音声信号及び第１右音声信号から、少なくとも前記第１左音声信号、前記第１右音声信号、前記第１左音声信号と同じ信号である第２左音声信号、及び、前記第１右音声信号と同じ信号である第２右音声信号を生成し前記第１出力端子に出力するマルチチャンネル音声生成部と、複数の前記音声入力端子に入力される音声信号の中から１つの音声信号を選択し前記第２出力端子に出力する第２選択部と、前記音声処理部からの音声信号を前記第１出力端子に出力させるか、又は、前記マルチチャンネル音声生成部からの音声信号を前記第１出力端子に出力させるかを切換える第３選択部と、前記第１モードが選択されている場合、前記第１選択部と前記第２選択部とに同じ音声信号を選択させ、かつ、前記第３選択部に前記マルチチャンネル音声生成部からの音声信号を前記第１出力端子に出力させ、前記第１モード以外のモードが選択されている場合、前記第３選択部に前記音声処理部からの音声信号を前記第１出力端子に出力させる制御部とを備える。
【００１５】
第１モードが選択されている場合、音声処理部を経由することなく、マルチチャンネル音声生成部からの音声信号が第１出力端子に出力される。第２出力端子にも音声処理部を経由しない音声信号が出力されるので、第１ルームに配置された第１スピーカーと、第２ルームに配置された第２スピーカーとに同じ音声信号を出力する場合に、第１スピーカーに出力される音声信号が第２スピーカーに出力される音声信号に対して遅延が生じることを防止することができる。
【発明の効果】
【００１６】
第１ルームに配置された第１スピーカーと、第２ルームに配置された第２スピーカーとに同じ音声信号を出力する場合に、第１スピーカーに出力される音声信号が第２スピーカーに出力される音声信号に対して遅延が生じることを防止する音声処理装置を提供することができる。
【図面の簡単な説明】
【００１７】
【図１】本発明の好ましい実施形態によるＡＶアンプ１の構成を示すブロック図である。
【図２】各チャンネルのスピーカーの配置を示す図である。
【図３】本発明の好ましい実施形態によるＡＶアンプ１Ｂの構成を示すブロック図である。
【図４】ＡＶアンプ１の制御部１２の処理を示すフローチャートである。
【図５】ＡＶアンプ１の映像信号に着目した構成を示すブロック図である。
【図６】本発明の好ましい実施形態によるＡＶアンプ１Ｃの構成を示すブロック図である。
【図７】本発明の好ましい実施形態によるＡＶアンプ１Ｄの構成を示すブロック図である。
【図８】ＡＶアンプ１Ｄの制御部１２の処理を示すフローチャートである。
【図９】本発明の好ましい実施形態によるＡＶアンプ１Ｅの構成を示すブロック図である。
【図１０】本発明の好ましい実施形態によるＡＶアンプ１Ｆの構成を示すブロック図である。
【図１１】従来のＡＶアンプ１０１の構成を示すブロック図である。
【発明を実施するための形態】
【００１８】
以下、本発明の好ましい実施形態によるＡＶアンプ（音声処理装置）について、図面を参照して具体的に説明するが、本発明はこれらの実施形態には限定されない。図１は、ＡＶアンプ１を示す概略ブロック図である。ＡＶアンプ１には、ＢＤプレーヤ（コンテンツ再生装置）２０Ａ、２０Ｂがデジタル音声入力端子ＩＮ１、ＩＮ２、アナログ音声入力端子ＩＮ３、ＩＮ４に接続され、メインスピーカー（第１スピーカー）３０がスピーカー出力端子９に接続され、ＺＯＮＥ２スピーカー（第２スピーカー）４０がスピーカー出力端子１１に接続されている。ＡＶアンプ１、ＢＤプレーヤ２０Ａ、２０Ｂ及びメインスピーカー３０はメインルーム（第１ルーム）に配置され、ＺＯＮＥ２スピーカー４０はＺＯＮＥ２ルーム（第２ルーム）に配置されている。メインルーム及びＺＯＮＥ２ルームは、これらのルーム間のドアを閉めることによってルーム間を塞ぐことや、ドアを開けることによってルーム間を開放することができる。なお、ＡＶアンプ１には、ＺＯＮＥ３ルーム、ＺＯＮＥ４ルーム等の他のルームに対する信号経路や、スピーカー出力端子がさらに設けられてもよい。
【００１９】
特に限定されないが、図２に示すように、メインスピーカーは、７．１チャンネル（例えば、前方左音声信号Ｌ、前方右音声信号Ｒ、中央音声信号Ｃ、サラウンド左音声信号ＳＬ、サラウンド右音声信号ＳＲ、低域音声信号ＳＷ、サラウンド後方左音声信号ＳＢＬ、サラウンド後方右音声信号ＳＢＲ）分のスピーカーを含む。なお、サラウンド後方左音声信号ＳＢＬ、サラウンド後方右音声信号ＳＢＲの代わりに（又はこれに加えて）、左外側音声信号ＬＷ、右外側音声信号ＲＷ、又は、左上側音声信号ＬＨ、右上側音声信号ＲＨ分にスピーカーが設けられてもよい。ＺＯＮＥ２スピーカーは、２チャンネル（例えば、前方左音声信号Ｌ、前方右音声信号Ｒ）分のスピーカーを含む。
【００２０】
サラウンド後方左音声信号ＳＢＬは、ユーザの後方左側の位置から再生される音声信号である。サラウンド後方右音声信号ＳＢＲは、ユーザの後方右側の位置から再生される音声信号である。左外側音声信号ＬＷは、前方左音声信号Ｌの外側（左側）の位置（つまりユーザの前方左外側）から再生される音声信号である。右外側音声信号ＲＷは、前方右音声信号Ｒの外側（右）の位置（つまりユーザの前方右外側）から再生される音声信号である。左上側音声信号ＬＨは、前方左音声信号Ｌの上側の位置（つまりユーザの前方左上側）から再生される音声信号である。右上側音声信号ＲＨは、前方右音声信号Ｒの上側の位置（つまりユーザの前方右上側）から再生される音声信号である。
【００２１】
なお、前方左音声信号Ｌを第１左音声信号と定義し、前方右音声信号Ｒを第１右音声信号と定義し、サラウンド左音声信号ＳＬ、サラウンド後方左音声信号ＳＢＬ、左外側音声信号ＬＷ、左上側音声信号ＬＨを第２左音声信号と定義し、サラウンド右音声信号ＳＲ、サラウンド後方右音声信号ＳＢＲ、右外側音声信号ＲＷ、右上側音声信号ＲＨを第２右音声信号と定義する。
【００２２】
ＡＶアンプ１には、複数のリスニングモードが設けられており、ユーザ操作によって選択された１つのリスニングモードに応じて、ＤＳＰ６がデジタル音声信号に対して所定の音声処理を実行する。本例では、リスニングモードにはWhole House Mode（本発明の第１モードに相当。）というモードが設けられている。Whole House Modeとは、メインルーム及びＺＯＮＥ２ルーム間のドアを開けることによって各ルーム間を開放し、メインスピーカー３０及びＺＯＮＥ２スピーカー４０から同じ音声信号を再生する際に適したモードである。Whole House Modeにおいては、ＺＯＮＥ２スピーカー４０にもメインスピーカー３０と同様にＤＳＰ６で音声処理を実行した音声信号を出力することにより、メインスピーカー３０に出力される音声信号がＺＯＮＥ２スピーカー４０に出力される音声信号に対して遅延が生じることを防止する。
【００２３】
ＡＶアンプ１は、デジタル音声入力端子ＩＮ１、ＩＮ２と、アナログ音声入力端子ＩＮ３、ＩＮ４と、デジタル音声セレクタ２と、アナログ音声セレクタ３、４と、Ａ／Ｄコンバータ（以下、ＡＤＣという。）５と、ＤＳＰ６と、Ｄ／Ａコンバータ（以下、ＤＡＣという。）７と、増幅部８と、メインスピーカー３０用のスピーカー出力端子９と、増幅部１０と、ＺＯＮＥ２スピーカー４０用のスピーカー出力端子１１と、制御部１２と、メモリ１３と、表示部１４と、操作部１５と、スイッチ部１６とを概略備えている。
【００２４】
デジタル音声入力端子ＩＮ１には、ＢＤプレーヤ２０Ａのデジタル音声出力端子が接続され、ＢＤプレーヤ２０Ａからデジタル音声信号が入力される。デジタル音声入力端子ＩＮ２には、ＢＤプレーヤ２０Ｂのデジタル音声出力端子が接続され、ＢＤプレーヤ２０Ｂからデジタル音声信号が入力される。アナログ音声入力端子ＩＮ３には、ＢＤプレーヤ２０Ａのアナログ音声出力端子が接続され、ＢＤプレーヤ２０Ａからアナログ音声信号が入力される。アナログ音声入力端子ＩＮ４には、ＢＤプレーヤ２０Ｂのアナログ音声出力端子が接続され、ＢＤプレーヤ２０Ｂからアナログ音声信号が入力される。
【００２５】
デジタル音声セレクタ２は、デジタル音声入力端子ＩＮ１に入力されたデジタル音声信号、及び、デジタル音声入力端子ＩＮ２に入力されたデジタル音声信号の中から、ユーザ操作に応じて、１つのデジタル音声信号を選択し、ＤＳＰ（音声処理部）６に供給する。
【００２６】
アナログ音声セレクタ３は、アナログ音声入力端子ＩＮ３に入力された２ｃｈアナログ音声信号（前方左音声信号Ｌ及び前方右音声信号Ｒ）、及び、アナログ音声入力端子ＩＮ４に入力された２ｃｈアナログ音声信号（前方左音声信号Ｌ及び前方右音声信号Ｒ）の中から、ユーザ操作に応じて、１つのアナログ音声信号を選択し、ＡＤＣ５に供給する。ＡＤＣ５は、アナログ音声セレクタ３から供給されたアナログ音声信号をデジタル音声信号にＡＤ変換し、ＤＳＰ６に供給する。
【００２７】
なお、実際には、デジタル音声セレクタ２から供給されるデジタル音声信号、及び、アナログ音声セレクタ３からＡＤＣ５を介して供給されるデジタル音声信号のうち、ユーザ操作に応じて選択された一方のデジタル音声信号のみがＤＳＰ６に供給される。
【００２８】
ＤＳＰ６は、デジタル音声セレクタ２、又は、ＡＤＣ５から供給されたデジタル音声信号に対して、ユーザ操作によって選択されたリスニングモードに応じて、所定の音声処理を実行し、ＤＡＣ７に供給する。所定の音声処理とは、例えば、遅延処理、イコライザ処理、残響処理等である。
【００２９】
Whole House Modeにおいては、アナログ音声セレクタ３によって選択されたアナログ音声信号が、ＡＤＣ５によってデジタル音声信号に変換されてＤＳＰ６に供給される。ＤＳＰ６は、前方左音声信号Ｌ及び前方右音声信号Ｒの２ｃｈ音声信号から、前方左音声信号Ｌ、前方右音声信号Ｒ、サラウンド音声信号（例えば、中央音声信号Ｃ、サラウンド左音声信号ＳＬ、サラウンド右音声信号ＳＲ、低域音声信号ＳＷ、サラウンド後方左音声信号ＳＢＬ及びサラウンド後方右音声信号ＳＢＲ）を生成する。
【００３０】
詳細には、サラウンド左音声信号ＳＬ及びサラウンド後方左音声信号ＳＢＬは、前方左音声信号Ｌと同じ音声信号（コピーした音声信号）であり、サラウンド右音声信号ＳＲ及びサラウンド後方右音声信号ＳＢＲは、前方右音声信号Ｒと同じ音声信号（コピーした音声信号）である。中央音声信号Ｃは、前方左音声信号Ｌと前方右音声信号Ｒとを加算して生成される音声信号である。低域音声信号ＳＷは、前方左音声信号Ｌと前方右音声信号Ｒとを加算して、ＬＰＦによって低域成分のみを抽出して生成される音声信号である。なお、これらの音声信号は、必要に応じて、若干の音量レベルや遅延時間の調整が実行されてもよく、これも含めて同じ信号と定義する。なお、図１において、ＤＳＰ６内部に記載している配線はＤＳＰ６の内部ソフトウェア処理を模式的に示したものである。
【００３１】
ＤＡＣ７は、ＤＳＰ６から供給されたデジタル音声信号をアナログ音声信号にＤＡ変換し、増幅部８に供給する。増幅部８は、ＤＡＣ７から供給された音声信号を増幅し、スピーカー出力端子９を介して、メインスピーカー３０に出力する。ＤＡＣ７、増幅部８、及び、スピーカー出力端子９は、上記の７．１チャンネル分設けられている。また、ＤＡＣ７は、上記複数チャンネルの音声信号のうち、サラウンド後方左音声信号ＳＢＬ、及び、サラウンド後方右音声信号ＳＢＲをスイッチ部１６に供給する。サラウンド後方左音声信号ＳＢＬ、及び、サラウンド後方右音声信号ＳＢＲをＺＯＮＥ２用の前方左音声信号Ｌ、及び、前方右音声信号Ｒとして使用するためである。なお、図３に示すように、ＤＡＣ７は、前方左音声信号Ｌ、及び、前方右音声信号Ｒをスイッチ部１６に供給してもよく、又は、図示しないがサラウンド左音声信号ＳＬ、及び、サラウンド右音声信号ＳＲをスイッチ部１６に供給してもよい。
【００３２】
アナログ音声セレクタ４は、アナログ音声入力端子ＩＮ３に入力されたアナログ音声信号、及び、アナログ音声入力端子ＩＮ４に入力されたアナログ音声信号の中から、ユーザ操作に応じて、１つのアナログ音声信号（前方左音声信号Ｌ、及び、前方右音声信号Ｒ）を選択し、スイッチ部１６に供給する。
【００３３】
スイッチ部１６は、アナログ音声セレクタ４から供給されたアナログ音声信号、及び、ＤＡＣ７から供給されたアナログ音声信号のうち、制御部１２からの指示に応じて、一方のアナログ音声信号を選択し、増幅部１０に供給する。ＤＡＣ７から供給されたアナログ音声信号が選択される場合、サラウンド後方左音声信号ＳＢＬがＺＯＮＥ２用の前方左音声信号Ｌとして使用され、サラウンド後方右音声信号ＳＢＲがＺＯＮＥ２用の前方右音声信号Ｒとして使用される。
【００３４】
増幅部１０は、スイッチ部１６から供給された音声信号を増幅し、スピーカー出力端子１１を介して、ＺＯＮＥ２スピーカー４０に音声信号を出力する。増幅部１０、及び、スピーカー出力端子１１は、代表的には、前方左音声信号Ｌ、及び、前方右音声信号Ｒに対して設けられており、各チャンネルの音声信号を増幅し、各チャンネルの用のＺＯＮＥ２スピーカー４０に音声信号を出力する。
【００３５】
制御部１２は、メモリ（ＲＯＭ、ＲＡＭ、フラッシュメモリ等）に格納されているＡＶアンプ１の動作プログラムに基づいて、ＡＶアンプ１の各部を制御するものであり、マイコンやＣＰＵ等である。表示部１４は、ＡＶアンプ１の動作状態（ボリューム値、セレクタ、リスニングモード）等を表示するものであり、ＬＣＤやＦＬ管等である。操作部１５は、ユーザ操作が入力されるものであり、操作ボタンやリモコン送受信機等である。
【００３６】
制御部１２は、ユーザ操作に応じて、メインスピーカー３０に出力する音声信号（メインセレクタという。）、及び、ＺＯＮＥ２スピーカー４０に出力する音声信号（ＺＯＮＥ２セレクタという。ＺＯＮＥ３に対してはＺＯＮＥ３セレクタ。）を個別に選択する。つまり、メインスピーカー３０に出力する音声信号、及び、ＺＯＮＥ２スピーカー４０に出力する音声信号を異ならせることができる。例えば、メインスピーカー３０にはＢＤプレーヤ２０Ａから供給されるデジタル音声信号又はアナログ音声信号に基づいた音声信号を出力し、ＺＯＮＥ２スピーカー４０にはＢＤプレーヤ２０Ｂから供給されるアナログ音声信号に基づいた音声信号を出力することができる。
【００３７】
制御部１２は、ユーザ操作に応じて、ＺＯＮＥ２セレクタとして“SOURCE”を選択することもできる。“SOURCE”は、ＺＯＮＥスピーカー４０に出力する音声信号（及び、必要に応じて映像信号）を、メインスピーカー３０に出力する音声信号（及び、必要に応じて映像信号）と同じにすること意味する。つまり、“SOURCE”は、メインセレクタが選択するＢＤプレーヤ２０と同じＢＤプレーヤ２０からの音声信号を、ＺＯＮＥ２スピーカー４０にも出力することを意味する。例えば、メインセレクタとしてＢＤプレーヤ２０Ａのデジタル音声信号又はアナログ音声信号が選択されており、メインスピーカー３０にＢＤプレーヤ２０Ａから供給されたデジタル音声信号又はアナログ音声信号に基づく音声信号を出力する場合、ＺＯＮＥ２スピーカー４０にも、ＢＤプレーヤ２０Ａから供給されるアナログ音声信号に基づく音声信号を出力する。
【００３８】
制御部１２は、ユーザ操作に応じて、複数のリスニングモードの中から１つのリスニングモードを選択し、選択されたリスニングモードに応じた音声処理を実行するように、ＤＳＰ６を制御する。
【００３９】
制御部１２は、スイッチ部１６の選択状態を制御する。詳細には、制御部１２は、リスニングモードとしてWhole House Mode以外のモードが選択された場合、スイッチ部１６にアナログ音声セレクタ４から供給されるアナログ音声信号を選択させる。これにより、メインスピーカー３０に出力する音声信号とは無関係に、ＺＯＮＥ２用スピーカー４０に、ＢＤプレーヤ２０Ａ、２０Ｂから供給されるアナログ音声信号のうち、ユーザ操作によって選択された音声信号を出力することができる。
【００４０】
一方、制御部１２は、リスニングモードとしてWhole
House Modeが選択された場合、スイッチ部１６にＤＡＣ７（すなわちＤＳＰ６）からのアナログ音声信号を選択させる。これにより、ＺＯＮＥ２用スピーカー４０には、メインスピーカー３０に出力される音声信号（詳細には、サラウンド後方左音声信号ＳＢＬ、及び、サラウンド後方右音声信号）と同一の音声信号が出力される。これにより、メインスピーカー３０に出力される音声信号はＤＳＰ６で音声処理が実行され、ＺＯＮＥ２スピーカー４０に出力される音声信号も同じＤＳＰ６で同じ音声処理が実行される。従って、メインスピーカー３０（特に、サラウンド後方左スピーカー及びサラウンド後方右スピーカー）に出力される音声信号が、ＺＯＮＥ２スピーカー４０に出力される音声信号に対して遅延が生じることを防止することができる。
【００４１】
以下、本発明のＡＶアンプ１の動作を説明する。図４は、制御部１２の処理を示すフローチャートである。制御部１２は、ユーザ操作によって、リスニングモードとしてWhole House Modeが選択されたか否かを判断する（Ｓ１）。Whole House Modeが選択されない場合（Ｓ１でＮＯ）、処理を終了する。
【００４２】
Whole House Modeが選択された場合（Ｓ１でＹＥＳ）、制御部１２は、アナログ音声セレクタ３に入力される２ｃｈのアナログ音声信号（前方左音声信号Ｌ及び前方右音声信号Ｒ）を、ＡＤＣ５でデジタル信号に変換し、ＤＳＰ６に供給させる。制御部１２は、ＤＳＰ６の処理を、Whole House Modeに対応する処理に設定する（Ｓ２）。従って、図１に示すように、ＤＳＰ６は、前方左音声信号Ｌ及び前方右音声信号Ｒの２ｃｈ音声信号から、前方左音声信号Ｌ、前方右音声信号Ｒ、中央音声信号Ｃ、サラウンド左音声信号ＳＬ、サラウンド右音声信号ＳＲ、低域音声信号ＳＷ、サラウンド後方左音声信号ＳＢＬ及びサラウンド後方右音声信号ＳＢＲを生成し、これらの音声信号をＤＡＣ７に出力する。
【００４３】
制御部１２は、スイッチ部１６をＤＳＰ６側に切換えることにより、スイッチ部１６にＤＡＣ７から供給される音声信号（サラウンド後方左音声信号ＳＢＬ及びサラウンド後方右音声信号ＳＢＲ）を選択させる（Ｓ３）。また、制御部１２は、全てのＺＯＮＥセレクタとして“SOURCE”を選択した上で、ＺＯＮＥの機能をオン状態にする（Ｓ４）。「ＺＯＮＥの機能をオン状態にする」とは、ＺＯＮＥ用のスピーカー出力端子１１から音声信号を出力可能な状態に設定することを意味する。従って、ＤＡＣ７においてＤＡ変換された複数チャンネルのアナログ音声信号のうち、サラウンド後方左音声信号ＳＢＬ、及び、サラウンド後方右音声信号ＳＢＲが、スイッチ部１６を介して増幅部１０に供給される。増幅部１０は、供給されたサラウンド後方左音声信号ＳＢＬ、及び、サラウンド後方右音声信号ＳＢＲを増幅し、スピーカー出力端子１１を介してＺＯＮＥ２スピーカー４０に出力する。
【００４４】
このとき、メインスピーカー３０に関しては、増幅部８は、ＤＡＣ７から供給された前方左音声信号Ｌ、前方右音声信号Ｒ、中央音声信号Ｃ、サラウンド左音声信号ＳＬ、サラウンド右音声信号ＳＲ、低域音声信号ＳＷ、サラウンド後方左音声信号ＳＢＬ及びサラウンド後方右音声信号ＳＢＲを増幅し、スピーカー出力端子９を介してメインスピーカー３０に出力する。このように、メインスピーカー３０と、ＺＯＮＥ２スピーカー４０とには、同じ音声信号が出力される。メインスピーカー３０に出力される音声信号に対してＤＳＰ６で音声処理が実行され、ＺＯＮＥ２スピーカー４０に出力される音声信号に対してもＤＳＰ６で同じ音声処理が実行される。従って、メインスピーカー３０に出力される音声信号が、ＺＯＮＥ２スピーカー４０に出力される音声信号に対して遅延が生じることを防止することができる。
【００４５】
なお、Ｓ４でＺＯＮＥ２セレクタとして“SOURCE”を選択することの意義を説明する。図５に示すように、実際のＡＶアンプ１は、映像入力端子ＩＮ５、ＩＮ６、メインルーム用の映像セレクタ２１、ＺＯＮＥ２用の映像セレクタ２２、メインルーム用の映像出力端子２３、及び、ＺＯＮＥ２用の映像出力端子２４を備え、ＢＤプレーヤから映像信号を受信し、受信した映像信号をディスプレイ装置５０Ａ、５０Ｂに供給する。ＺＯＮＥ２セレクタとして“SOURCE”を選択することによって、音声信号だけでなく、ＺＯＮＥ２用の映像信号出力端子２４から出力される映像信号も、メインルーム用の映像出力端子２３から出力される映像信号と同じにすることができる。
【００４６】
Whole House Modeのときに、ユーザ操作によってＺＯＮＥセレクタとして“SOURCE”以外が選択された場合、そのＺＯＮＥはWhole House Modeから離脱し、そのＺＯＮＥに対するスイッチ部１６はＤＡＣ７ではなくアナログ音声セレクタ４を選択する。従って、そのＺＯＮＥはメインルームと同じ音声信号が再生される状態に限定されず、ユーザ操作によって選択された任意の音声信号が再生される。その後、ＺＯＮＥセレクタとして“SOURCE”がさらに選択された場合には、そのＺＯＮＥはWhole House Modeに復帰し、そのＺＯＮＥに対するスイッチ部１６は再度ＤＡＣ７を選択する。
【００４７】
制御部１２は、ユーザ操作によって、Whole
House Modeが解除されたか否かを判断する（Ｓ５）。例えば、他のリスニングモードに変更された場合に、Whole House Modeが解除されたと判断される。Whole
House Modeが解除された場合（Ｓ５でＹＥＳ）、制御部１２は、ＺＯＮＥセレクタとして“SOURCE”が選択されている全てのＺＯＮＥの機能をオフ状態にする（Ｓ６）。「ＺＯＮＥの機能をオフ状態にする」とは、ＺＯＮＥ用の音声出力端子から音声信号が出力されないように設定することを意味する。例えば、ＺＯＮＥ２、ＺＯＮＥ３、ＺＯＮＥ４が存在し、ＺＯＮＥ２、ＺＯＮＥ３がＺＯＮＥセレクタとして“SOURCE”が選択されている場合、ＺＯＮＥ２、ＺＯＮＥ３の機能をオフ状態にする。ＺＯＮＥ４はメインルームとは異なる音声信号を再生している可能性があるので、ＺＯＮＥ４の機能をオフ状態にしないことによって、ＺＯＮＥ４での音声信号の再生をユーザの意に反して停止してしまうことを防止できる。
【００４８】
制御部１２は、スイッチ部１６をアナログ音声セレクタ４側に切換え、スイッチ部１６にアナログ音声セレクタ４から供給される音声信号を選択させる（Ｓ７）。制御部１２は、ＤＳＰ６の処理を、選択されたリスニングモードに対応する処理に設定する（Ｓ８）。これにより、Whole House Modeによる音声信号の再生が終了する。
【００４９】
以上のように、本実施形態によると、メインスピーカー３０に出力される音声信号が、ＺＯＮＥ２スピーカー４０に出力される音声信号に対して遅延が生じることを防止することができる。
【００５０】
次に本発明の別の好ましい実施形態を説明する。図６は、本例のＡＶアンプ１Ｃを示す図である。図１のＡＶアンプ１と比較して、ＡＶアンプ１Ｃは、デジタル音声セレクタ２には２ｃｈデジタル音声信号（前方左音声信号Ｌ及び前方右音声信号）が入力され、この音声信号はＤＳＰ６に供給される。ＤＳＰ６は、デジタル音声セレクタ２から供給される前方左音声信号Ｌ及び前方右音声信号Ｒから、前方左音声信号Ｌ、前方右音声信号Ｒ、中央音声信号Ｃ、サラウンド左音声信号ＳＬ、サラウンド右音声信号ＳＲ、低域音声信号ＳＷ、サラウンド後方左音声信号ＳＢＬ及びサラウンド後方右音声信号ＳＢＲの７．１ｃｈの音声信号を生成し、ＤＡＣ７に出力する。その他の構成は、ＡＶアンプ１と同じであるので説明を援用する。なお、本例において、デジタル音声セレクタ２に３チャンネル以上（例えば５．１ｃｈ、７．１ｃｈ）の音声信号が入力される場合、ＤＳＰ６が２ｃｈデジタル音声信号（前方左音声信号Ｌ及び前方右音声信号）のみを使用し、残りのチャンネルの音声信号を使用しないようにすればよい。
【００５１】
次に本発明のさらに別の好ましい実施形態を説明する。図７は、本例のＡＶアンプ１Ｄを示す図である。図１のＡＶアンプ１と比較して、ＡＶアンプ１Ｄは、スイッチ部１７と、マルチチャンネル音声生成部１８とが設けられており、ＤＳＰ６を使用せずに２ｃｈ音声信号から７．１ｃｈの音声信号を生成する。
【００５２】
マルチチャンネル音声生成部１８は、Whole
House Modeにおいて、ＤＳＰ６の代わりに、アナログ音声セレクタ３から供給される前方左音声信号Ｌ及び前方右音声信号Ｒから、前方左音声信号Ｌ、前方右音声信号Ｒ、中央音声信号Ｃ、サラウンド左音声信号ＳＬ、サラウンド右音声信号ＳＲ、低域音声信号ＳＷ、サラウンド後方左音声信号ＳＢＬ及びサラウンド後方右音声信号ＳＢＲを生成し、スイッチ部１７に出力する。
【００５３】
スイッチ部１７は、ＤＳＰ６（ＤＡＣ７）からの音声信号を増幅部８に供給するか、又は、マルチチャンネル音声生成部１８からの音声信号を増幅部８に供給するかを切換える。Whole House Mode以外のリスニングモードにおいては、スイッチ部１７はＤＳＰ６からの音声信号を増幅部８に供給し、Whole House Modeでは、スイッチ部１７はマルチチャンネル音声生成部１８からの音声信号を増幅部８に供給する。
【００５４】
ＡＶアンプ１Ｃは、図１のＡＶアンプ１が有するスイッチ部１６を備えない。Whole House Modeにおいて、アナログ音声セレクタ３および４は、同じアナログ音声信号（前方左音声信号Ｌ及び前方右音声信号Ｒ）を選択し、ＺＯＮＥ２用の増幅部１０にはアナログ音声セレクタ４からの前方左音声信号Ｌ及び前方右音声信号Ｒが供給される。Whole House Modeにおいて、メインルーム側はＤＳＰ６を経由せずに、マルチチャネル音声生成部１８において７．１ｃｈの音声信号を生成するので、メインルーム用の音声信号は、ＺＯＮＥ２側の音声信号に対して遅延が生じない。
【００５５】
図８は、本例の動作を示すフローチャートである。制御部１２は、ユーザ操作に応じて、リスニングモードとしてWhole House Modeが選択されたか否かを判断する（Ｓ１１）。選択されない場合（Ｓ１１でＮＯ）、処理を終了する。
【００５６】
Whole House Modeが選択された場合（Ｓ１１でＹＥＳ）、制御部１２は、アナログ音声セレクタ３にアナログ音声信号（前方左音声信号Ｌ及び前方右音声信号Ｒ）を選択させ、マルチチャンネル音声生成部１８及びＡＤＣ５に供給させる。制御部１２は、メインルームの音声経路をWhole House Mode用に切換える（Ｓ１２）。つまり、制御部１２は、スイッチ部１７にマルチチャンネル音声生成部１８側を選択させ、ＤＳＰ６ではなく、マルチチャンネル音声生成部１８からの音声信号を増幅部８に供給させる。制御部１２は、ＺＯＮＥセレクタとして“SOURCE”を選択した上で、全てのＺＯＮＥの機能をオン状態にする（Ｓ１３）。これにより、制御部１２は、アナログ音声セレクタ４が選択するアナログ音声信号（前方左音声信号Ｌ及び前方右音声信号Ｒ）を、アナログ音声セレクタ３が選択するアナログ音声信号（前方左音声信号Ｌ及び前方右音声信号Ｒ）と同一にする。例えば、アナログ音声セレクタ３がアナログ音声入力端子ＩＮ３（ＢＤプレーヤ２０Ａ）を選択する場合、アナログ音声セレクタ４もアナログ音声入力端子ＩＮ３（ＢＤプレーヤ２０Ａ）を選択する。
【００５７】
マルチチャンネル音声生成部１８は、前方左音声信号Ｌ及び前方右音声信号Ｒから、前方左音声信号Ｌ、前方右音声信号Ｒ、中央音声信号Ｃ、サラウンド左音声信号ＳＬ、サラウンド右音声信号ＳＲ、低域音声信号ＳＷ、サラウンド後方左音声信号ＳＢＬ及びサラウンド後方右音声信号ＳＢＲを生成し、増幅部８に供給する。サラウンド音声信号の生成処理は、図１のＡＶアンプ１におけるＤＳＰ６のソフトウェア処理と同等である。増幅部８は、マルチチャンネル音声生成部１８から供給された前方左音声信号Ｌ、前方右音声信号Ｒ、中央音声信号Ｃ、サラウンド左音声信号ＳＬ、サラウンド右音声信号ＳＲ、低域音声信号ＳＷ、サラウンド後方左音声信号ＳＢＬ及びサラウンド後方右音声信号ＳＢＲを増幅し、スピーカー出力端子９を介してメインスピーカー３０に出力する。
【００５８】
アナログ音声セレクタ４は、選択した前方左音声信号Ｌ及び前方右音声信号Ｒを増幅部１０に供給する。増幅部１０は、供給された前方左音声信号Ｌ及び前方右音声信号Ｒを増幅し、スピーカー出力端子１１を介してＺＯＮＥ２用スピーカー４０に出力する。このように、メインスピーカー３０と、ＺＯＮＥ２スピーカー４０とには、同じ音声信号が出力される。メインスピーカー３０に出力される音声信号及びＺＯＮＥ２スピーカー４０に出力される音声信号は共にＤＳＰ６で音声処理が実行されない。従って、メインスピーカー３０に出力される音声信号が、ＺＯＮＥ２スピーカー４０に出力される音声信号に対して遅延が生じることを防止することができる。
【００５９】
続いて、制御部１２は、ユーザ操作に応じて、Whole
House Modeが解除されたか否かを判断する（Ｓ１４）。Whole
House Modeが解除された場合（Ｓ１４でＹＥＳ）、制御部１２は、ＺＯＮＥセレクタとして“SOURCE”が選択されている全てのＺＯＮＥの機能をオフ状態にする（Ｓ１５）。
【００６０】
制御部１２は、メインルーム用の音声経路を選択されたリスニングモードに対応する経路に切換える（Ｓ１６）。つまり、制御部１２は、ＤＳＰ６の処理をリスニングモードに対応した処理に設定し、スイッチ部１７にＤＳＰ６側を選択させる。従って、ＤＳＰ６は、デジタル音声セレクタ２又はアナログ音声セレクタ３から供給される音声信号に音声処理を実行し、スイッチ部１７を介して増幅部８に供給する。
【００６１】
なお、Whole House Mode以外のモードで、ＺＯＮＥ２の機能がオンされると、アナログ音声セレクタ４は、メインルーム用の音声信号とは無関係に、ユーザ操作によって選択されたアナログ音声信号（前方左音声信号Ｌ及び前方右音声信号Ｒ）を選択し、増幅部１０に供給する。
【００６２】
次に本発明の別の好ましい実施形態を説明する。図９は、本例のＡＶアンプ１Ｅを示す図である。図６のＡＶアンプ１Ｃと比較して、ＡＶアンプ１Ｅは、デジタル音声セレクタ２が３チャンネル以上（例えば５．１ｃｈや７．１ｃｈ）のデジタル音声信号を選択し、ＤＳＰ６に供給する。Whole House Modeにおいて、ＤＳＰ６は、供給された３チャンネル以上のデジタル音声信号をダウンミックス処理によって、２ｃｈ音声信号（前方左音声信号Ｌ及び前方右音声信号Ｒ）を生成する。そして、ＤＳＰ６は、ＡＶアンプ１Ｃと同様に、前方左音声信号Ｌ及び前方右音声信号Ｒから、前方左音声信号Ｌ、前方右音声信号Ｒ、中央音声信号Ｃ、サラウンド左音声信号ＳＬ、サラウンド右音声信号ＳＲ、低域音声信号ＳＷ、サラウンド後方左音声信号ＳＢＬ及びサラウンド後方右音声信号ＳＢＲを生成し、ＤＡＣ７に出力する。
【００６３】
次に本発明の別の好ましい実施形態を説明する。図１０は、本例のＡＶアンプ１Ｆを示す図である。図１、図３と比較して、ＡＶアンプ１Ｆは、スイッチＳ１〜Ｓ６を備える。スイッチＳ１〜Ｓ６は制御部１２によってオンオフ制御され、前方左音声信号Ｌと前方右音声信号Ｒとの組合せ、サラウンド左音声信号ＳＬとサラウンド右音声信号との組合せ、又は、サラウンド後方左音声信号とサラウンド後方右音声信号との組合せの中から、ユーザ操作に応じて選択された１つの組合せをスイッチ部１６に供給する。従って、ユーザは、ＺＯＮＥ２ルームのスピーカー４０の位置に応じて、どの組合わせの音声信号をＺＯＮＥ２スピーカーに出力するかを適宜変更することができる。
【００６４】
以上、本発明の好ましい実施形態を説明したが、本発明はこれらの実施形態には限定されない。例えば、ＡＶアンプ１は、メインルーム用及び／又はＺＯＮＥ２用にプリアウト出力端子を設けており、増幅部８及び増幅部９によって増幅する前のアナログ音声信号がプリアウト出力端子から出力されてもよい。この場合、メインスピーカー３０及び／又はＺＯＮＥ２スピーカー４０の前段には別途増幅部が接続される、又は、メインスピーカー３０及び／又はＺＯＮＥ２スピーカー４０として増幅部内蔵のスピーカーが使用される。デジタル音声入力端子ＩＮ１、ＩＮ２は、映像データと音声データとを含むＨＤＭＩデータを受信するＨＤＭＩ入力端子や、その他の規格の入力端子でもよい。また、ＢＤプレーヤの代わりに、ＤＶＤプレーヤ、ＣＤプレーヤ、ゲーム機等の他のコンテンツ再生装置が適用されてもよい。また、上記実施形態では、ＤＳＰ６又はマルチチャンネル音声生成部１８で７．１ｃｈの音声信号を生成しているが、これに限定されず、少なくとも４ｃｈ（第１左音声信号、第１右音声信号、第２左音声信号、第２右音声信号）の音声信号を生成すればよい。また、上記のＡＶアンプ１の制御部１２の処理をコンピュータに実行させるためのプログラム及びこれを記録した記録媒体という形態で提供されてもよい。
【産業上の利用可能性】
【００６５】
本発明は、ＡＶアンプに好適に採用され得る。
【符号の説明】
【００６６】
１              ＡＶアンプ
２              デジタル音声セレクタ
３              アナログ音声セレクタ
４              アナログ音声セレクタ
５              ＡＤＣ
６              ＤＳＰ
７              ＤＡＣ
８              増幅部
９              スピーカー出力端子（メイン用）
１０            増幅部
１１            スピーカー出力端子（ＺＯＮＥ２用）
１２            制御部
１３            メモリ
１４            表示部
１５            操作部
１６            スイッチ部
２０Ａ          ＢＤプレーヤ
２０Ｂ          ＢＤプレーヤ
３０            メインスピーカー
４０            ＺＯＮＥ２スピーカー
ＩＮ１          デジタル音声入力端子
ＩＮ２          デジタル音声入力端子
ＩＮ３          アナログ音声入力端子
ＩＮ４          アナログ音声入力端子
【図１】
0005488478.tif 000002
【図２】
0005488478.tif 000003
【図３】
0005488478.tif 000004
【図４】
0005488478.tif 000005
【図５】
0005488478.tif 000006
【図６】
0005488478.tif 000007
【図７】
0005488478.tif 000008
【図８】
0005488478.tif 000009
【図９】
0005488478.tif 000010
【図１０】
0005488478.tif 000011
【図１１】
0005488478.tif 000012